(57)【要約】      （修正有）【課題】図柄部分をはめ込む立体カードの提供。【解決手段】本考案の図柄部分をはめ込む立体カード１は、コアシート及びオーバレシートを用いていて、少なくとも一箇所の図案か文字を組み合わせるための穴１４が設けられている。この穴に図案や文字の図柄部分をはめ込むことにより、図柄部分をカード１の表面に突出させたり、ぴったり合わせたり、下に沈ませたりすることが可能である。したがって、より美しい図柄部分２を持つ立体カードにすることが可能で、この構造を利用して金属材質、複合材等の図柄部分を選択することができ、従来のカードより美観に優れ、インパクトを与える特色、特徴のある視覚に訴えるビジュアル的なカードにすることができるという特長がある。【選択図】図２
0003108295.tif 000002
【実用新案登録請求の範囲】
【請求項１】
中間にある片状のコアシート、及び、そのコアシートの表面を覆う少なくとも１面のオーバレシートからなり、適当な位置に少なくとも一個穴があって、図柄部分をはめ込んで組み合わせるようになっているカードと、
カードの穴に対応し薄いパーツで、その表面には図案、文字、数字が施され、少なくとも一種類出現する図柄部分とから構成されていて、
この図柄部分をカードの穴にはめ込んで固定し、組み合わせるようになった、図柄部分をはめ込む立体カード。
【請求項２】
カードの穴がカード表面より下に沈んだ形式のくぼみ穴及びカードを貫通する貫通穴のうちの一種の形態で、図柄部分をはめ込んでカードと組み合わせるという特長を持ち、さらに、そのくぼみ穴及び貫通穴が幾何学図案、不規則図形、文字、数字のうちの少なくとも一種の形態で、図柄部分をはめ込んでカードと組み合わせるようになっていて、また、その貫通穴の中に段になった部分があって、カード両面に様々な外観の穴が出現することで、段になった部分を持つ中間部分の両側に様々な外観が出現する、図柄部分をはめ込んでカードに組み合わせるようになった、請求項１に記載の図柄部分をはめ込む立体カード。
【請求項３】
図柄部分がカードの表面から突出するか、表面とぴったり合うか、下に沈むかの形態で、はめ込まれて固定され、さらに、その図柄部分が幾何学図案のピース、不規則図案のピース、文字、数字のピースのうちの少なくとも一種の形態であるという特長を持つ、請求項２に記載の図柄部分をはめ込む立体カード。
【考案の詳細な説明】
【技術分野】
【０００１】
本考案は図柄部分をはめ込む立体カードに関する。本考案の図柄部分をはめ込む立体カードは、キャッシュカード、クレジットカード、キャッシングカード、ICカード、テレホンカード、入退出管理カード、名刺、乗車チケットカード、プリペイドカード等の各種カードにおいて、図柄部分をはめ込んで立体カードとして応用が可能である。
【背景技術】
【０００２】
従来のカードの構造は図７を参照いただきたい。従来のカードは、コアシート１０、印刷層２０、そして、コアシート両面の表面にあるオーバレシート３０からなる。このコアシート１０は表面コア１０１と裏面コア１０２が互いに結合して構成されている。コアシート１０には一面あるいは二面印刷するための印刷層２０があって、さらに、表面オーバレ３０１及び裏面オーバレ３０２を含むオーバレシート３０が加わって、キャッシュカード、クレジットカード、キャッシングカード、ICカード、テレホンカード、入退出管理カード、名刺、乗車チケットカード、プリペイドカード等、各種機能を持った、あるいは、装飾性の高いカードを構成している。
【考案の開示】
【考案が解決しようとする課題】
【０００３】
しかしながら、従来の機能性あるいは装飾性カードは、コアシート１０の一面あるいは二面に印刷層２０を設けてあるのみで、そのカードは平面的な図案（例：会社のLOGO等）及び文字等が施されるだけで、立体的な変化のある美しい効果を生み出してインパクトを与えることはできなかった。
【０００４】
本考案の図柄部分をはめ込む立体カードは、コアシート及びオーバレシートを用いていて、少なくとも一箇所の図案か文字を組み合わせるための穴が設けられている。この穴に図案や文字の図柄部分をはめ込むことにより、図柄部分をカードの表面に突出させたり、ぴったり合わせたり、下に沈ませたりすることが可能である。したがって、より美しい図柄部分を持つ立体カードにすることが可能で、この構造を利用して金属材質、複合材等の図柄部分を選択することができ、従来のカードより美観に優れ、インパクトを与える特色、特徴のある視覚に訴えるビジュアル的なカードにすることができるという特長がある。
【課題を解決するための手段】
【０００５】
請求項１の考案は、中間にある片状のコアシート、及び、そのコアシートの表面を覆う少なくとも１面のオーバレシートからなり、適当な位置に少なくとも一個穴があって、図柄部分をはめ込んで組み合わせるようになっているカードと、
カードの穴に対応し薄いパーツで、その表面には図案、文字、数字が施され、少なくとも一種類出現する図柄部分とから構成されていて、
この図柄部分をカードの穴にはめ込んで固定し、組み合わせるようになった、図柄部分をはめ込む立体カードとしている。
請求項２の考案は、カードの穴がカード表面より下に沈んだ形式のくぼみ穴及びカードを貫通する貫通穴のうちの一種の形態で、図柄部分をはめ込んでカードと組み合わせるという特長を持ち、さらに、そのくぼみ穴及び貫通穴が幾何学図案、不規則図形、文字、数字のうちの少なくとも一種の形態で、図柄部分をはめ込んでカードと組み合わせるようになっていて、また、その貫通穴の中に段になった部分があって、カード両面に様々な外観の穴が出現することで、段になった部分を持つ中間部分の両側に様々な外観が出現する、図柄部分をはめ込んでカードに組み合わせるようになった、請求項１に記載の図柄部分をはめ込む立体カードとしている。
請求項３の考案は、図柄部分がカードの表面から突出するか、表面とぴったり合うか、下に沈むかの形態で、はめ込まれて固定され、さらに、その図柄部分が幾何学図案のピース、不規則図案のピース、文字、数字のピースのうちの少なくとも一種の形態であるという特長を持つ、請求項２に記載の図柄部分をはめ込む立体カードとしている。
【考案の効果】
【０００６】
本考案の図柄部分をはめ込む立体カードは、図柄部分とカードがはめ込む形式の構造をしているので、より美しい図柄を組み合わせたカードにすることが可能である。したがって、従来のカードより美観に優れ、インパクトを与える特色、特徴のある視覚に訴えるビジュアル的なカードにすることができるという特長がある。
【考案を実施するための最良の形態】
【０００７】
本考案の図柄部分をはめ込む立体カードは、コアシート及びオーバレシートからなるカード１及び少なくとも一つの図柄部分２から構成されていて、キャッシュカード、クレジットカード、キャッシングカード、ICカード、テレホンカード、入退出管理カード、名刺、乗車チケットカード、プリペイドカード等の各種機能性、装飾性を持つカードに広く応用することが可能である。
【０００８】
図１から図３を参照いただきたい。カード１は、その中間に一枚状のコアシート１１がある。このコアシート１１は少なくとも一面（あるいは二面）透明あるいは半透明あるいは不透明のオーバレシート１２で覆われて構成されている。コアシート１１の表面には印刷することで任意に追加することができる印刷層１３がある。このコアシート１１は、表面コア１１１及び裏面コア１１２からなる。オーバレシート１２はコアシート１１正面に張る表面オーバレ１２１と、コアシート１１の背面に張る裏面オーバレ１２２がある。カード１には適当な位置に少なくとも一つ幾何学図案、不規則な図形、あるいは、文字、数字図案のための穴１４が設けられていて、次に説明する図柄部分２を組み合わせるようになっている。
【０００９】
図１から図３を参照いただきたい。図柄部分２は上述のカード１の穴１４に対応する、幾何学図案、不規則な図形（例：会社のLOGO等）、文字、数字図案の立体構造の構成部分である。この部分は、それ自体の構造が幾何学図案のピース、不規則な図形のピース、文字、数字図案のピースである上に、その表面に印刷、プレス印刷、電気メッキ、電鋳、エレクトロコーティング、エッチング、プレス加工、レーザー刻印等を施すことが可能であり、平面図案、文字、数字２１（例：会社LOGO等）を施した形式で少なくとも、一種類あるいは数種類を組み合わせた状態か、あるいは、立体的な図案、文字、数字２２（例：会社のLOGO等）を施した形式で、一種類あるいは数種類を組み合わせた状態で出現する。
【００１０】
この図柄部分２はカード１の穴１４の中に固定され、カード１の表面とぴったり合うことも、上に突出することも、下に沈むことも可能で、本考案の図柄部分をはめ込む立体カードが構成される（図３から図５を参照いただきたい）。上述のように、この図柄部分２はカード１にはめ込む方式で固定される。固定方法には、紫外線硬化接着剤による接合、熱溶解型接着剤による接合、感圧形粘着剤による接合、あるいは、その他の各種粘着剤による接合方式、そして、超音波溶合等の方式などがある。
【００１１】
図３から図５を参照いただきたい。本考案の上述のカード１は、適当な位置に少なくとも１個の穴１４があって、図柄部分２をはめ込むようになっている。この穴１４はカード１の下に沈むくぼみ穴１４１、あるいは、カード１を貫通する貫通穴１４２も含み、これによって図柄部分２をはめ込むようになっている。さらに、図６を参照いただきたい。この実施例では、穴１４をカード１を貫通する貫通穴１４２にしていて、貫通穴１４２には段になった部分１４３が設けられている。これによって、カード１両面に様々な外観の穴の形状が出現し、中に段のある部分２３を持つ図柄部分２をはめ込むと、カード１両面に様々な変化をもたせることが可能である。
【００１２】
本考案の図柄部分をはめ込む立体カードの構造は、キャッシュカード、クレジットカード、キャッシングカード、ICカード、テレホンカード、入退出管理カード、名刺、乗車チケットカード、プリペイドカード等の各種機能性及び装飾性を持つカードに広く応用することが可能である。はめ込み式の構造を採用したことで、カード１の表面に立体効果のある図柄部分２が形成され、より美しく、精緻な効果が得られる。特に、本考案のはめ込み式の構造は、図柄部分２がカード１と異なった材質（例：金属、複合材等）でも任意に選択でき、カード１の穴１４の中にはめ込んで固定することができるという特長を持つ。
【図面の簡単な説明】
【００１３】
【図１】本考案の図柄部分をはめ込む立体カードの見取り図である。
【図２】本考案の図柄部分をはめ込む立体カードの構造分解図である。
【図３】本考案の図柄部分がカードとぴったり合った状態のはめ込み部分を示した見取り図である。
【図４】本考案の図柄部分がカードより下にある状態のはめ込み部分を示した見取り図である。
【図５】本考案の図柄部分がカードより上に突出している状態のはめ込み部分を示した見取り図である。
【図６】本考案のカード及び図柄部分に段になった部分を設けた実施例の見取り図である。
【図７】従来のカードの構造を示した見取り図である。
【符号の説明】
【００１４】
１      カード                      １１    コアシート
１１１  表面コア                    １１２    裏面コア
１２    オーバレシート              １３      印刷層
１２１  表面オーバレ                １２２    裏面オーバレ
１４    穴                          １４１    くぼみ穴
１４２  貫通穴                      １４３    段になった部分
２      図柄部分
２１    平面図案、文字、数字
２２    立体図案、文字、数字
２３    段になった部分
【図１】
0003108295.tif 000003
【図２】
0003108295.tif 000004
【図３】
0003108295.tif 000005
【図４】
0003108295.tif 000006
【図５】
0003108295.tif 000007
【図６】
0003108295.tif 000008
【図７】
0003108295.tif 000009